(57)【要約】【課題】タッチパネル搭載の携帯電話のピクトアイコンを的確に示し、当該ピクトアイコンが示す意味を容易に認識できる携帯電話を実現する。【解決手段】本発明の携帯電話は、タッチパネル制御部１０５によって検知されたタッチ位置が、タッチパネル１０４上の、ディスプレイ１０１のピクトに予め設定されたピクト拡大起動領域に含まれている場合に、上記タッチパネル制御部１０５により検知されたタッチ開始から計測された時間が予め設定した時間を越え、且つ、タッチ位置の移動量が予め設定した移動量を越えたときに、上記ピクトを拡大表示すると共に、該ピクトに含まれるピクトアイコンに関する説明情報を表示するピクト表示制御部１１０を備えていることで、操作者は、ピクトをタッチするだけで、タッチパネル搭載の携帯電話のピクトアイコンを的確に示し、当該ピクトアイコンが示す意味を容易に認識できる。【選択図】図１
2010103956.tif 000002
【特許請求の範囲】
【請求項１】
表示パネル上にタッチパネルを重ねて配置した表示装置を搭載した携帯電話において、
上記タッチパネルにおいてタッチされたことを検知するタッチ検知手段と、
上記タッチ検知手段によって検知されたタッチ開始からの時間を計測するタイマと、
上記タッチ検知手段によって検知されたタッチパネル上のタッチ位置に対応する上記表示パネルにおける座標情報を取得する座標情報取得手段と、
上記座標情報取得手段により取得された座標情報からタッチ位置の移動量を求める移動量演算手段と、
上記座標情報取得手段が取得した座標情報から、上記タッチ検知手段によって検知されたタッチ位置が、上記タッチパネル上の、上記表示パネルのピクトに予め設定されたピクト拡大起動領域に含まれている場合に、
上記タッチ検知手段により検知されたタッチ開始から計測された時間が予め設定した時間を越え、且つ、上記移動量演算手段により算出されたタッチ位置の移動量が予め設定した移動量を越えたときに、上記ピクトを拡大表示すると共に、該ピクトに含まれるピクトアイコンに関する説明情報を表示するピクト表示制御手段とを備えていることを特徴とする携帯電話。
【請求項２】
上記ピクト表示制御手段は、
上記ピクト拡大起動領域上にピクトアイコンが存在しているときに、上記ピクトを拡大表示することを特徴とする請求項１に記載の携帯電話。
【請求項３】
上記ピクト表示制御手段は、
上記ピクト拡大起動領域上にピクトアイコンが存在しているときに、当該ピクトアイコンに対応する説明情報をピクト拡大表示に連動して表示することを特徴とする請求項２に記載の携帯電話。
【請求項４】
上記ピクト表示制御手段は、
ピクトを拡大表示する際に、ピクトアイコンの並び順を、拡大表示前のピクトに表示されたピクトアイコンの並び順と同じにすることを特徴とする請求項１〜３の何れか１項に記載の携帯電話。
【請求項５】
上記ピクト表示制御手段は、
携帯電話が実行可能なアプリケーションの実行を制御する制御手段とは別に設けられ、独立してピクト表示制御を行うことを特徴とする請求項１〜４の何れか１項に記載の携帯電話。
【発明の詳細な説明】
【技術分野】
【０００１】
本発明は、タッチパネルを搭載する携帯電話に関するものである。
【背景技術】
【０００２】
一般に、携帯電話に搭載されている表示パネルには、電波受信状況、電池残量、メール受信の有無等をアイコンで表示する領域として、ピクトと呼ばれる領域が設けられ、ユーザに対して、機器の状況を知らせている。上記ピクトは、例えば、本発明の図２（ａ）に示すように、表示画面の上部に設けられている。
【０００３】
ところで、携帯電話が多機能化すると必然的に上記ピクトに表示されるアイコン（ピクトアイコン）の種類も多くなる。このため、ユーザにとって、一般的なピクトアイコン（電波受信状況、電池残量、メール受信を示すアイコン）であればすぐに認識できるものの、普段見慣れないピクトアイコンが表示された場合に、何を意味しているピクトアイコンであるのかをすぐに認識できない。この場合、表示されているピクトアイコンの意味は、マニュアルで調べることで分かるが、非常に手間がかかる。
【０００４】
携帯電話の中には、表示画面上に表示させたカーソルをピクトに移動させ、目的のピクトアイコンをカーソルで選択することにより、当該ピクトアイコンの意味を表示させるものがある。
【特許文献１】特開２００７−４７６２（２００７年１月１１日公開）
【発明の開示】
【発明が解決しようとする課題】
【０００５】
ところで、近年、タッチパネルを搭載する表示装置が広く使われている。例えば特許文献１に開示されたタッチパネルを挙げることができる。また、携帯電話においてもタッチパネルを搭載した表示装置が採用されつつある。
【０００６】
しかしながら、携帯電話では、表示画面の表示領域の大きさが限られる。このため、ピクトに表示されるピクトアイコンも小さくせざるを得ない。このように、ピクトアイコンが小さければ、上記のように、カーソルを利用する場合には、目的とするピクトアイコンを的確に示すことが可能であるが、上述のように、タッチパネルを搭載した携帯電話の場合、ピクトアイコンの大きさよりも大きい指でタッチしても目的とするピクトアイコンを示すことは難しい。
【０００７】
本発明は、上記の問題点に鑑みてなされたものであり、その目的は、タッチパネル搭載の携帯電話のピクトアイコンを的確に示し、当該ピクトアイコンが示す意味を容易に認識できる携帯電話を実現することにある。
【課題を解決するための手段】
【０００８】
本発明に係る携帯電話は、上記課題を解決するために、表示パネル上にタッチパネルを重ねて配置した表示装置を搭載した携帯電話において、上記タッチパネルにおいてタッチされたことを検知するタッチ検知手段と、上記タッチ検知手段によって検知されたタッチ開始からの時間を計測するタイマと、上記タッチ検知手段によって検知されたタッチパネル上のタッチ位置に対応する上記表示パネルにおける座標情報を取得する座標情報取得手段と、上記座標情報取得手段により取得された座標情報からタッチ位置の移動量を求める移動量演算手段と、上記座標情報取得手段が取得した座標情報から、上記タッチ検知手段によって検知されたタッチ位置が、上記タッチパネル上の、上記表示パネルのピクトに予め設定されたピクト拡大起動領域に含まれている場合に、上記タッチ検知手段により検知されたタッチ開始から計測された時間が予め設定した時間を越え、且つ、上記移動量演算手段により算出されたタッチ位置の移動量が予め設定した移動量を越えたときに、上記ピクトを拡大表示すると共に、該ピクトに含まれるピクトアイコンに関する説明情報を表示するピクト表示制御手段とを備えていることを特徴としている。
【０００９】
ここで、上記のピクト表示制御手段におけるピクト拡大表示する際の判断基準となる、上記の予め設定した時間、予め設定した移動量は、任意に設定可能である。つまり、これらの値は、表示装置を設計する際に、ユーザがどの程度のタッチ時間を継続したときに、ピクト拡大表示されるのが違和感がないか等の様々な要素を考慮して決定されるべき値である。
【００１０】
従って、タイマによる計測時間が予め設定した時間を越えたときとは、ユーザがタッチパネルをタッチしてからの経過時間がある程度継続した長さになったことを示している。また、移動量演算手段によるタッチ位置の移動量が予め設定した移動量を越えたときとは、ユーザがタッチパネルにタッチしてなぞるような動作を行っていることを示している。
【００１１】
従って、上記の構成によれば、タッチパネルをタッチしたときに、ピクトのピクト拡大起動領域にタッチ位置が含まれていれば、ピクトを拡大表示すると共に、該ピクトに含まれるピクトアイコンに関する説明を表示するようになっているので、操作者はピクトに含まれているピクトアイコンが示す内容を容易に把握することができる。
【００１２】
従って、操作者は、ピクトをタッチするだけで、タッチパネル搭載の携帯電話のピクトアイコンを的確に示し、当該ピクトアイコンが示す意味を容易に認識できるという効果を奏する。
【００１３】
上記ピクト表示制御手段は、上記ピクト拡大起動領域上にピクトアイコンが存在しているときに、上記ピクトを拡大表示するようにしてもよい。
【００１４】
この場合、ピクト拡大起動領域上にピクトアイコンが存在していないときには、ピクト拡大表示を行わないで済むので、無駄な処理を低減することができる。
【００１５】
上記ピクト表示制御手段は、上記ピクト拡大起動領域上にピクトアイコンが存在しているときに、当該ピクトアイコンに対応する説明情報をピクト拡大表示に連動して表示するようにしてもよい。
【００１６】
この場合、操作者は、少ない動作で目的とするピクトアイコンの内容を確認することができる。
【００１７】
上記ピクト表示制御手段は、ピクトを拡大表示する際に、ピクトアイコンの並び順を、拡大表示前のピクトに表示されたピクトアイコンの並び順と同じにするようにするのが好ましい。
【００１８】
この場合、ピクトの拡大前後でピクトアイコンの並び順に変化が無いので、操作者は、ピクトが拡大表示されても、感覚的にピクトアイコンを認識することができるので、操作性の向上を図ることができる。
【００１９】
上記ピクト表示制御手段は、携帯電話が実行可能なアプリケーションの実行を制御する制御手段とは別に設けられ、独立してピクト表示制御を行うようにしてもよい。
【００２０】
この場合、ピクト表示制御と、アプリケーション制御とが独立しているので、アプリケーション実行中であっても、ピクトを拡大表示し、ピクトアイコンの内容を確認することができる。例えば、ワンセグ受信中に、メールを受信した場合、ピクトにメール受信状況を示すピクトアイコンが表示されるが、この場合に、ワンセグ受信を中断することなく、ピクトを拡大し、メール受信状況を示すピクトアイコンを選択して内容を確認することができる。
【発明の効果】
【００２１】
本発明に係る携帯電話は、以上のように、表示パネル上にタッチパネルを重ねて配置した表示装置を搭載した携帯電話において、上記タッチパネルにおいてタッチされたことを検知するタッチ検知手段と、上記タッチ検知手段によって検知されたタッチ開始からの時間を計測するタイマと、上記タッチ検知手段によって検知されたタッチパネル上のタッチ位置に対応する上記表示パネルにおける座標情報を取得する座標情報取得手段と、上記座標情報取得手段により取得された座標情報からタッチ位置の移動量を求める移動量演算手段と、上記座標情報取得手段が取得した座標情報から、上記タッチ検知手段によって検知されたタッチ位置が、上記タッチパネル上の、上記表示パネルのピクトに予め設定されたピクト拡大起動領域に含まれている場合に、上記タッチ検知手段により検知されたタッチ開始から計測された時間が予め設定した時間を越え、且つ、上記移動量演算手段により算出されたタッチ位置の移動量が予め設定した移動量を越えたときに、上記ピクトを拡大表示すると共に、該ピクトに含まれるピクトアイコンに関する説明情報を表示するピクト表示制御手段とを備えていることで操作者は、ピクトをタッチするだけで、タッチパネル搭載の携帯電話のピクトアイコンを的確に示し、当該ピクトアイコンが示す意味を容易に認識できるという効果を奏する。
【発明を実施するための最良の形態】
【００２２】
本発明の一実施の形態について説明すれば、以下の通りである。なお、本実施の形態では、画像表示装置を携帯電話に搭載した場合の例について説明する。
【００２３】
図５（ａ）（ｂ）は、上記構成の画像表示装置を備えた携帯電話１の概観を示す図である。
【００２４】
上記携帯電話１は、図５（ａ）（ｂ）に示すように、第１筐体１０と第２筐体２０とが矢印ＸＹ方向に互いにスライド可能に設けられたスライド方式の携帯電話である。この携帯電話１は、通常の電話機能、メール送受信機能の他に、ワンセグ受信機能、動画再生機能、音楽再生機能、テレビ電話機能等の様々のマルチメディア機能を搭載しているものとする。
【００２５】
ここで、上記携帯電話１において、図５（ａ）に示す状態、すなわち、第１筐体１０と第２筐体２０とが完全に重なった状態を第１状態とし、図５（ｂ）に示すように、第１筐体１０と第２筐体２０とがスライド移動した状態を第２状態とする。
【００２６】
例えば、上記携帯電話１の電話機能、メール送受信機能を利用する場合には、図５（ａ）に示す第１状態が待ち受け状態、図５（ｂ）に示す第２状態が通話（メール操作）状態となる。また、ワンセグ受信機能等のマルチメディア機能を利用する場合には、主に、図５（ａ）に示す第１状態での利用となる。
【００２７】
上記第１筐体１０は、携帯電話本体となる本体部を構成するものであり、図５（ｂ）に示すように、上記第２筐体２０に対してスライド移動したときに、露出した面を操作面１０ａとしている。
【００２８】
この操作面１０ａには、電話機能、メール送受信機能等の携帯電話１の機能を実現する際に必要な操作キー群が配置されている。これら操作キー群が入力インターフェースとして機能する。
【００２９】
また、上記第２筐体２０は、携帯電話１において表示可能な情報（電話番号、動画、静止画、ワンセグ映像等）を表示する画像表示部を構成するものであり、さらに、第２筐体２０の表示面２０ａはユーザが直接指などでタッチして各種操作が行えるタッチパネルを用いた操作面を構成している。
【００３０】
このように、上記携帯電話１では、第１筐体１０の操作面１０ａに配置された操作キー群以外の入力インターフェースとして、第２筐体２０の表示面２０ａにタッチパネルを採用している。これにより、携帯電話１を、図５（ａ）に示す第１状態でもユーザが操作できるようになっている。なお、この第２筐体２０の表示面２０ａを操作面として使用する場合、主に、図５（ａ）に示すように、第１筐体１０に第２筐体２０を完全に重ね合わせた状態で使用するが、これに限定されるものではない。
【００３１】
以下に本携帯電話１において、第２筐体２０の表示面２０ａに常に表示されているピクトの拡大表示操作について説明する。ここで、ピクトとは、携帯電話１において通信状況を示すアイコン、電池残量を示すアイコン、メール受信状況を示すアイコン等の携帯電話１において実行可能な機能の状況をユーザに示すアイコン（以下、ピクトアイコンと称する）を表示するための領域をいう。
【００３２】
以下に、本実施の形態に係る携帯電話１におけるピクトの表示処理について、簡単に説明する。
【００３３】
図２（ａ）は、携帯電話１における待受け画面を示し、図２（ｂ）は、図２（ａ）に示す状態からピクト部分を拡大した状態を示す図である。
【００３４】
上記携帯電話１の表示画面は、図２（ａ）に示すように、上部に形成されたピクト３０１と、その下に形成された通常表示領域３０２とで構成されている。
【００３５】
上記ピクト３０１は、上述した各種ピクトアイコンを表示するための領域である。
【００３６】
また、上記通常表示領域３０２は、携帯電話１において実行される各種アプリケーションの実行画面や、待受け画面を表示するための領域である。
【００３７】
本実施の形態では、図２（ａ）に示す状態の表示画面上をユーザが任意のピクトを矢印方向にドラッグあるいはタッピングすることで、ピクト３０１が、図２（ｂ）に示すように、拡大表示される。
【００３８】
拡大表示されたピクト３０１は、図２（ｂ）に示すように、拡大ピクト３１１と、説明文表示領域３１２とで構成されている。
【００３９】
上記拡大ピクト３１１には、ユーザが指でタッチし易い大きさに拡大された拡大ピクトアイコンが表示される。
【００４０】
また、上記説明文表示領域３１２には、拡大ピクト３１１に表示されている拡大ピクトアイコンのうち、フォーカス設定されている拡大ピクトアイコンの説明文が表示される。ここで、フォーカス設定されている拡大ピクトアイコンは、図２（ｂ）では、周縁部が太く表示されているパケット通信状況を示すピクトアイコンである。フォーカス設定されるピクトアイコンとは、選択されたピクトアイコンのことをいう。
【００４１】
図３は、ピクト３０１の要部を拡大した図である。
【００４２】
上記ピクト３０１は、図３に示すように、操作者のタッチ動作を認識する領域となる、複数のヒット領域３０１ａを含んでいる。
【００４３】
上記ヒット領域３０１ａは、操作者の一般的な指の大きさでタッチしたときに、タッチパネルによる１０４によるタッチ動作が認識できる大きさに設定すればよく、特に限定されるものではない。なお、ピクト３０１のヒット領域３０１ａ以外の領域をタッチしてもピクト３０１の拡大表示は行われない。また、ピクトアイコン上に、ヒット領域３０１ａが存在しない場合にも、当該ヒット領域３０１ａをタッチしてもピクト３０１の拡大表示は行われない。
【００４４】
図４（ａ）は、携帯電話１の画面表示を縦長表示にしたときの拡大ピクト３１１のピクトアイコンの表示例を示す図である。
【００４５】
図４（ｂ）は、携帯電話１の画面表示を横長表示にしたときの拡大ピクト３１１のピクトアイコンの表示例を示す図である。
【００４６】
図４（ａ）に示すように、縦長表示のときには、表示幅が狭いのでピクトアイコンは横に５個の表示になり、５個以上のピクトアイコンを拡大表示する場合には、複数の段を使用して表示することになる。図４（ａ）に示す例では、最上段から、一段目３１１ａ、２段目３１１ｂ、３段目３１１ｃ、・・・に順番にピクトアイコンが表示されることになる。
【００４７】
但し、最上段である一段目３１１ａに表示するピクトアイコンは予め設定した５個のピクトアイコンを表示する。ここでは、５つのピクトアイコンとして、電波状況を示すピクトアイコン、パケット通信状況を示すピクトアイコン、メールの受信状況を示すピクトアイコン、マナーモードの設定状況を示すピクトアイコン、電池残量を示すピクトアイコンを採用している。
【００４８】
また、これらピクトアイコンの並びは、拡大前のピクト３０１に表示されているときの並びと同じにしている。これにより、操作者は感覚的にピクトアイコンの種類を認識できる。
【００４９】
このピクトアイコンの並びについては、横長表示になったときに考慮される。例えば、図４（ｂ）に示すように、１段目３１１ａの表示領域が横に広くなるので、一番右端にある電池残量を示すピクトアイコンひとつを右端に移動させて、この１段目３１１ａの間に縦長表示における３段目３１１ｃに表示すべきピクトアイコンを表示する。なお、表示すべきピクトアイコンが無い場合には、間を空欄にしておく。
【００５０】
携帯電話１は、図６に示すように、ディスプレイ１０１、ＣＰＵ２０１、ＲＯＭ２０２、ＲＡＭ２０３、キー１１４、タッチパネル１０４、モーションセンサー１１５、タイマー１０６、通信部１０７を含んでいる。
【００５１】
上記のキー１１４、タッチパネル１０４、モーションセンサー１１５は、ユーザ入力や操作を検出するためのデバイスである。
【００５２】
上記タイマー１０６は、処理に掛かる時間を計測するためのデバイスである。
【００５３】
上記通信部１０７は、ネットワークデータ通信や電話接続を実施するためのデバイスである。
【００５４】
上記ディスプレイ１０１は、機器の内部処理の結果をユーザに表示して提示するためのデバイスである。
【００５５】
上記ＣＰＵ２０１は、上記の各デバイスを制御するデバイスである。
【００５６】
上記ＲＯＭ２０２は、上記ＣＰＵ２０１における制御に必要となる手続（プログラム等）を格納するための記憶デバイスであり、上記ＲＡＭ２０３は、上記ＣＰＵ２０１による制御が実行されるときに処理内容を一時的に格納するための記憶デバイスである。
【００５７】
図７は、上記ハードウェア構成の携帯電話１における各デバイスの制御を行う際に、上記ＣＰＵ２０１が機能するブロックを示す機能ブロック図である。
【００５８】
上記ＣＰＵ２０１は、図７に示すように、入力・操作検出部２１１、ネットワーク管理部２１２、時間管理部２１３、処理実行部２１４、拡大ピクト制御部２１５、画面回転制御部２１６、ページ情報作成部２１７、画面情報蓄積部２１８、画面表示制御部２１９を含んでいる。これらの各部における機能を実行させるためのプログラムは、上記ＲＯＭ２０２に格納され、上記ＣＰＵ２０１によって必要に応じて読み出され、上記の各部における機能を実行させるようになっている。
【００５９】
上記入力・操作検出部２１１は、ユーザが上述したキー１１４、タッチパネル１０４、モーションセンサー１１５を操作したことを検出し、決められた形式に従ってその情報を、処理実行部２１４に引き渡すようになっている。
【００６０】
上記ネットワーク管理部２１２は、上述の通信部１０７から受信した情報を決められた形式に従って処理実行部２１４に引き渡し、また、処理実行部２１４からの要求に応じて次の情報を上記通信部１０７から取得するようになっている。
【００６１】
上記時間管理部２１３は、上記処理実行部２１４からの要求に応じて上述したタイマー１０６を使って時間経過を監視し、要求のあった刻限になると処理実行部２１４にその旨を通知する。
【００６２】
上記処理実行部２１４は、上記入力・操作検出部２１１、ネットワーク管理部２１２、時間管理部２１３から通知される情報を基に、実行すべき処理を決定する。そして、必要な制御・管理部（拡大ピクト制御部２１５、画面回転制御部２１６、ページ情報作成部２１７）に処理要求を行う。
【００６３】
上記拡大ピクト制御部２１５は、処理実行部２１４からの要求に応じ、拡大ピクトの表示・消去・表示の更新を行う。このために必要となる画面表示情報を画面情報蓄積部２１８に蓄積する。
【００６４】
上記画面回転制御部２１６は、処理実行部２１４からの要求に応じ、縦画面・横画面の表示切替制御を行う。表示切替が発生する時は、その画面表示情報を作成して画面情報蓄積部２１８に蓄積する。
【００６５】
上記ページ情報作成部２１７は、処理実行部２１４からの要求に応じ、拡大ピクトアイコンが表示され、フォーカスが設定された拡大ピクトアイコンに対応する説明に関する情報を図示しない記憶部から読み出し、画面表示情報を作成する。作成した画面表示情報を画面情報蓄積部２１８に蓄積する。
【００６６】
上記画面情報蓄積部２１８は、各制御部からの要求に応じて画面表示情報を内部に蓄積する。また外部から要求があった場合は、蓄積した画面表示情報提供する。
【００６７】
上記画面表示制御部２１９は、上記画面情報蓄積部２１８に蓄積された画面表示情報をディスプレイ１０１（後述する）に転送し、転送した表示情報に応じた画面表示を行わせる。
【００６８】
図１は、本実施の形態に係る携帯電話１の概略構成ブロック図である。
【００６９】
上記携帯電話１は、ディスプレイ１０１、ディスプレイ制御部１０２、ＶＲＡＭ１０３、タッチパネル１０４、タッチパネル制御部１０５、タイマー１０６、通信部１０７、フレームバッファ１０９、ピクト表示制御部１１０、拡大表示制御部１１１、タッチパネル状態記憶部１１２、制御部１１３（ＣＰＵ２０１）を含んでいる。
【００７０】
上記ディスプレイ１０１は、ディスプレイ制御部１０２がＶＲＡＭ１０３から読み出した画面イメージを表示する表示デバイスであり、液晶表示パネル、有機ＥＬ（Electro Luminescence）パネル等の薄膜表示パネルからなっている。
【００７１】
上記タッチパネル１０４は、上記ディスプレイ１０１に重なるように配置され、ユーザの押す、なぞる、離すといった操作を検出するためのセンサーデバイスとして機能している。
【００７２】
上記タッチパネル制御部１０５は、上記タイマー１０６から通知される一定の間隔でタッチパネル１０４の状態を監視し、タッチパネル１０４が押されているか否か、および、押されている座標がタッチパネル１０４上のどこであるかの情報を読み取り、タッチパネル状態記憶部１１２に情報を保持する。
【００７３】
また、上記タッチパネル制御部１０５は、前回タッチパネル状態記憶部１１２に保持されている情報と新たに読み取った情報とを比較し、押されていない状態から押された状態に変化した場合はタッチダウンのイベントを座標とともにブラウザ制御部１１０に通知する。同様に、押された状態が継続している場合は連続押下のイベントを、押された状態から押されていない状態に変化した場合はタッチアップのイベントを、座標とともにブラウザ制御部１１０に通知する。
【００７４】
上記通信部１０７は、ＨＴＴＰ等、インターネットのプロトコルに従い、ＨＴＭＬ、スタイルシート、スクリプトや画像等のデータを取得し、ピクト表示制御分１１０に渡すようになっている。
【００７５】
上記ピクト表示制御部１１０は、図７に示す拡大ピクト制御部２１５を実現するためのハードウェアによる制御部であり、上記通信部１０７が取得したデータ、機器内部の電池残量等のデータ、あるいは制御部１１３による各種機能設定情報等を示すピクトアイコンをピクトに表示させるようにしている。なお、生成したピクトアイコンに関する情報は、ＶＲＡＭ１０３に転送する。
【００７６】
また、ピクト表示制御部１１０は、上記タッチパネル制御部１０５から通知されるイベント、座標に基づいてピクトの拡大表示制御を行う。タッチパネル制御部１０５からタッチダウンのイベントが通知され、その後で通知される座標がピクトのヒット領域に含まれていれば、ピクト表示制御部１１０は、ピクトを拡大表示する。
【００７７】
上記タッチパネル制御部１０５から通知される座標がピクトのヒット領域に含まれていなければ、ピクト表示制御部１１０は、ピクト拡大表示を行わないように制御する。
【００７８】
上記拡大表示制御部１１１は、上記ピクト表示制御部１１０によって拡大表示しようとするピクトを拡大すると共に、表示すべきピクトアイコン及びフォーカスが設定されたピクトアイコンを選択して、ＶＲＡＭ１０３上に書き込む。
【００７９】
また、制御部１１３は、電源制御等、装置全体の制御を行う制御デバイスであり、上述したＣＰＵ２０１に含まれている。
【００８０】
上記構成の携帯電話１においては、図１に示す各部は、以下のように機能している。
【００８１】
すなわち、タッチパネル１０４においてタッチされたことをタッチパネル制御部１０５によって検知され、上記タッチパネル制御部１０５によって検知されたことをタッチ開始からの時間をタイマー１０６によって計測し、上記タッチパネル制御部１０５によって検知されたタッチパネル１０４上のタッチ位置に対応する上記ディスプレイ１０１における座標情報をディスプレイ制御部１０２によって取得し、上記取得した座標情報からタッチ位置の移動量を上記制御部１１３によって求め、上記座標情報から、上記タッチパネル制御部１０５によって検知されたタッチ位置が、上記タッチパネル１０４上の、上記ディスプレイ１０１のピクトに予め設定されたピクト拡大起動領域に含まれている場合に、上記タッチパネル制御部１０５により検知されたタッチ開始からタイマー１０６によって計測された時間が予め設定した時間を越え、且つ、上記制御部１１３により算出されたタッチ位置の移動量が予め設定した移動量を越えたときに、上記ピクト表示制御部１１４は、上記ピクトを拡大表示すると共に、該ピクトに含まれるピクトアイコンに関する説明情報を表示するように制御する。
【００８２】
上記の構成によれば、タッチパネルをタッチしたときに、ピクトのピクト拡大起動領域にタッチ位置が含まれていれば、ピクトを拡大表示すると共に、該ピクトに含まれるピクトアイコンに関する説明を表示するようになっているので、操作者はピクトに含まれているピクトアイコンが示す内容を容易に把握することができる。
【００８３】
従って、操作者は、ピクトをタッチするだけで、タッチパネル搭載の携帯電話のピクトアイコンを的確に示し、当該ピクトアイコンが示す意味を容易に認識できるという効果を奏する。
【００８４】
上記ピクト表示制御部１１４は、上記ピクト拡大起動領域上にピクトアイコンが存在しているときに、上記ピクトを拡大表示するようにしてもよい。
【００８５】
この場合、ピクト拡大起動領域上にピクトアイコンが存在していないときには、ピクト拡大表示を行わないで済むので、無駄な処理を低減することができる。
【００８６】
さらに、上記ピクト表示制御部１１４は、上記ピクト拡大起動領域上にピクトアイコンが存在しているときに、当該ピクトアイコンに対応する説明情報をピクト拡大表示に連動して表示するようにしてもよい。
【００８７】
この場合、操作者は、少ない動作で目的とするピクトアイコンの内容を確認することができる。
【００８８】
上記ピクト表示制御部１１４は、ピクトを拡大表示する際に、ピクトアイコンの並び順を、拡大表示前のピクトに表示されたピクトアイコンの並び順と同じにするようにするのが好ましい。
【００８９】
この場合、ピクトの拡大前後でピクトアイコンの並び順に変化が無いので、操作者は、ピクトが拡大表示されても、感覚的にピクトアイコンを認識することができるので、操作性の向上を図ることができる。
【００９０】
上記ピクト表示制御部１１４は、携帯電話１が実行可能なアプリケーションの実行を制御する制御手段とは別に設けられ、独立してピクト表示制御を行うようにしてもよい。
【００９１】
この場合、ピクト表示制御と、アプリケーション制御とが独立しているので、アプリケーション実行中であっても、ピクトを拡大表示し、ピクトアイコンの内容を確認することができる。例えば、ワンセグ受信中に、メールを受信した場合、ピクトにメール受信状況を示すピクトアイコンが表示されるが、この場合に、ワンセグ受信を中断することなく、ピクトを拡大し、メール受信状況を示すピクトアイコンを選択して内容を確認することができる。
【００９２】
以下に、上記構成の携帯電話１におけるピクト拡大表示処理について説明する。
【００９３】
図８は、本携帯電話１におけるピクト拡大表示処理の流れを示すフローチャートである。
【００９４】
まず、タッチ座標はピクト拡大起動領域の座標であるか否かを判定する（ステップＳ１１）。ここでは、タッチパネルが検知した座標位置が、ピクト拡大起動領域であるヒット領域３０１ａに含まれている座標位置であるか否かを判定する。具体的には、タッチパネル制御部１０５が、タッチパネル１０４に対するタッチ動作により得られた検知信号を制御部１１３に送り、この制御部１１３にてタッチパネル１０４のタッチ位置に対応するディスプレイ１０１の座標位置を求めて、求めた座標位置がピクト３０１のヒット領域３０１ａに含まれるか否かを判定する。
【００９５】
ステップＳ１１において、タッチ座標がピクト拡大起動領域であると判定されれば、ステップＳ１２に移行して、現在表示中のピクトアイコン情報を記憶する。ここでは、ピクトアイコン情報を一時的にＲＡＭ２０３に記憶させる。
【００９６】
続いて、タッチ座標周辺に優先ピクトアイコンがあるか否かを判定する（ステップＳ１３）。ここで、優先ピクトアイコンとは、上記ピクト拡大起動領域上に存在するピクトアイコンを示す。例えば、図３に示すように、タッチ座標を含むピクト拡大起動領域であるヒット領域３０１ａ上にピクトアイコンが存在していれば、そのピクトアイコンが優先ピクトアイコンであり、ヒット領域３０１ａ上にピクトアイコン無ければ優先ピクトアイコンが存在しないことになる。
【００９７】
一方、ステップＳ１１において、タッチ座標がピクト拡大起動領域に無いと判定されれば、ピクトの下の配置物にイベントを回送して処理を終了する（ステップＳ１４）。
【００９８】
上記のピクトの下の配置物にイベントを回送するとは、ピクトの拡大する処理を抜ける（やらない）ことを示す。つまり、ピクトをタッチし、タッチ座標がピクト拡大起動領域に無いと判定されたとき、タッチしたピクトの下に配置物があれば、その配置物にタッチされたことを通知する。
【００９９】
例えば、画面が階層構造をしているときに、ピクトの下の層に、ショートカットアイコンが配置物として配置されることがある。このショートカットアイコンは、対応付けられた何らかの機能を起動するためのものである。従って、ピクトをタッチし、タッチ座標がピクト拡大起動領域に無いと判定されたとき、そのタッチした層の下の層にショートカットアイコンが配置されていれば、そのショートカットアイコンに対応付けられた機能が起動するようになる。
【０１００】
なお、ピクトをタッチし、タッチ座標がピクト拡大起動領域に無いと判定されたとき、そのタッチした層の下の層にもショートカットアイコンが配置されていなければ、なにもしない。
【０１０１】
一方、ステップＳ１３において優先ピクトアイコンがないと判定されれば、タッチ座標にもっと近いピクトアイコンにフォーカス設定する（ステップＳ１５）。
【０１０２】
一方、ステップＳ１３において優先ピクトアイコンがあると判定されれば、当該ピクトアイコンにフォーカス設定する（ステップＳ１６）。
【０１０３】
ここで、ピクトアイコンにフォーカス設定するとは、ピクトアイコンが拡大されたときに、最初に説明文が表示されるようにすることである。
【０１０４】
続いて、記憶・設定した情報でピクト拡大処理を起動する（ステップＳ１７）。ここでは、ステップＳ１２においいてＲＡＭ２０３に記憶した情報（ピクトアイコン情報）、ステップＳ１５及びステップ１６において設定したフォーカスの情報に基づいてピクト拡大処理を起動する。
【０１０５】
図９（ａ）〜図９（ｇ）は、ピクト拡大処理における通常の処理の流れを示す図である。ここでは、携帯電話１の画面表示を縦長表示にした場合の例について説明する。
【０１０６】
まず、図９（ａ）に示すように、待受け画面上のピクトをタッチ（なぞる）と、図９（ｂ）に示すように、ピクトが拡大されて表示され、フォーカスが設定されたピクトアイコンの説明が表示される。ここで、フォーカス設定されているのは、パケット通信状況を示すピクトアイコンである。この状態で、フォーカス設定されたピクトアイコンをタッチすると、図９（ｃ）に示すように、ピクトアイコンに関する情報が表示される。ここでは、パケット通信状況を示すピクトアイコンに関する情報が特にないので、単なるピクトアイコンの説明文を表示しているので、図９（ｂ）と図９（ｃ）とは同じ情報が表示されている。
【０１０７】
図９（ｃ）に示す状態で、「閉じる」アイコンをタッチすると、図９（ａ）に示す待受け画面に戻る。
【０１０８】
次に、図９（ｂ）に示す状態から、他のピクトアイコンをタッチすると、図９（ｄ）に示すように、タッチしたピクトアイコンにフォーカスが設定され、そのピクトアイコンに対応する説明文が表示される。ここでは、メール受信状況を示すピクトアイコンをタッチした例を示している。この状態で、他のピクトアイコンをタッチすれば、タッチされたピクトアイコンにフォーカスが設定され、その説明文が表示される。
【０１０９】
図９（ｄ）に示す例では、未読メール有りとの説明があるので、この未読メールを確認する場合、表示画面上のメール受信状況を示すピクトアイコンをタッチする。
【０１１０】
上記のアイコンをタッチすると、図９（ｅ）に示すように、メールを確認するための「確認する」アイコンがフォーカス設定される。ここで、確認するをタッチすれば、図９（ｆ）に示すように、メール確認画面が表示される。
【０１１１】
一方、図９（ｅ）に示す状態で、画面を閉じる「閉じる」アイコンをタッチした場合には、図９（ｇ）に示すように、「閉じる」アイコンにフォーカスが設定される。ここで、閉じるをタッチすれば、図９（ａ）に示す待受け画面に戻る。
【０１１２】
図１０（ａ）〜図１０（ｈ）は、ピクト拡大処理における直起動の処理の流れを示す図である。ここでは、携帯電話１の画面表示を縦長表示にした場合の例について説明する。
【０１１３】
まず、図１０（ａ）に示すように、待受け画面上のピクトをタッチ（なぞる）と、図１０（ｂ）に示すように、ピクトが拡大されて表示され、フォーカスが設定されたピクトアイコンの説明が表示される。ここで、フォーカス設定されているのは、パケット通信状況を示すピクトアイコンである。この状態で、フォーカス設定されたピクトアイコン以外のピクトアイコンをタッチすると、図１０（ｃ）に示すように、タッチしたピクトアイコン（メモリカードの挿入状態を示すアイコン）にフォーカスが設定され、そのピクトアイコンをタッチすると、図１０（ｄ）に示すように、それに関する情報が表示される。この状態で、「閉じる」アイコンをタッチすると、図１０（ａ）に示す待受け画面に戻る。
【０１１４】
上記の操作はタッチ動作ではなく、キー操作で行ってもよい。例えば、図１０（ｂ）に示す状態で、キー操作により目的のピクトアイコンを選択するようにしてもよい。この場合、図１０（ｅ）に示す様態から図１０（ｆ）に示す状態に遷移する。
【０１１５】
上記図１０（ｄ）及び図１０（ｆ）では、フォーカス設定されたピクトアイコンに遷移先が無いので、そのままの表示になる。
【０１１６】
これに対して、図１０（ｂ）に示す状態からメール受信状況を示すピクトアイコンをタッチした場合、図１０（ｇ）に示すように、メール受信状況を示すピクトアイコンがフォーカス設定され、当該ピクトアイコンに関する内容（ここでは、「未読メール有」）が表示される。ここで、確認するのアイコンをタッチすれば、図１０（ｈ）に示すように、遷移先である受信ボックスが表示される。
【０１１７】
このメール受信状況を確認する場合においても、カーソルキーで操作することが可能となる。
【０１１８】
上記構成の携帯電話１によれば、ピクトに表示されているピクトアイコンをなぞるようにタッチするだけで、ピクトを拡大表示して、該当するピクトアイコンの説明及び現在の状況を表示するようになっている。これにより、操作者は、タッチパネル搭載の携帯電話のピクトアイコンを的確に示し、当該ピクトアイコンが示す意味を容易に認識できるという効果を奏する。
【０１１９】
しかも、ピクトは、携帯電話１が実行可能なアプリケーションを実行している間でも、常に表示される領域なので、アプリケーション実行中であっても、ピクトをなぞるようにタッチすれば、実行中のアプリケーションを中断あるいはバックグラウンドで実行させてピクトを拡大表示して、知りたいピクトアイコンの内容を確認することができる。
【０１２０】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【０１２１】
最後に、ＣＰＵ２０１の各ブロック、特にピクト表示制御部１１４は、ハードウェアロジックによって構成してもよいし、次のようにＣＰＵを用いてソフトウェアによって実現してもよい。
【０１２２】
すなわち、ピクト表示制御部１１４は、各機能を実現する制御プログラムの命令を実行するＣＰＵ（central processing unit）、上記プログラムを格納したＲＯＭ（read only memory）、上記プログラムを展開するＲＡＭ（random access memory）、上記プログラムおよび各種データを格納するメモリ等の記憶装置（記録媒体）などを備えている。そして、本発明の目的は、上述した機能を実現するソフトウェアであるピクト表示制御部１１４の制御プログラムのプログラムコード（実行形式プログラム、中間コードプログラム、ソースプログラム）をコンピュータで読み取り可能に記録した記録媒体を、上記ピクト表示制御部１１４に供給し、そのコンピュータ（またはＣＰＵやＭＰＵ）が記録媒体に記録されているプログラムコードを読み出し実行することによっても、達成可能である。
【０１２３】
上記記録媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【０１２４】
また、ピクト表示制御部１１４を通信ネットワークと接続可能に構成し、上記プログラムコードを通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【産業上の利用可能性】
【０１２５】
タッチパネル搭載の携帯電話に好適である。
【図面の簡単な説明】
【０１２６】
【図１】本発明の実施形態を示すものであり、携帯電話の要部構成を示すブロック図である。
【図２】（ａ）は、携帯電話における待受け画面を示し、（ｂ）は、同図（ａ）に示す状態からピクト部分を拡大した状態を示す図である。
【図３】ピクトの要部を拡大した図である。
【図４】（ａ）は、携帯電話の画面表示を縦長表示にしたときの拡大ピクトのピクトアイコンの表示例を示す図であり、（ｂ）は、携帯電話の画面表示を横長表示にしたときの拡大ピクトのピクトアイコンの表示例を示す図である。
【図５】（ａ）（ｂ）は、上記構成の画像表示装置を備えた携帯電話の概観を示す図である。
【図６】図１に示す携帯電話のハードウェア構成を示す概略ブロックである。
【図７】図１に示す携帯電話のソフトウェア構成を示す概略ブロックである。
【図８】図１に示す携帯電話におけるピクト拡大表示処理の流れを示すフローチャートである。
【図９】（ａ）〜（ｇ）は、ピクト拡大処理における通常の処理の流れを示す図である。
【図１０】（ａ）〜（ｈ）は、ピクト拡大処理における直起動の処理の流れを示す図である。
【符号の説明】
【０１２７】
１  携帯電話
１０  第１筐体
１０ａ  操作面
１６  ステップ
２０  第２筐体
２０ａ  表示面
１０１  ディスプレイ
１０２  ディスプレイ制御部
１０３  ＶＲＡＭ
１０４  タッチパネル
１０５  タッチパネル制御部
１０６  タイマー
１０７  通信部
１０９  フレームバッファ
１１０  ピクト表示制御部
１１１  拡大表示制御部
１１２  タッチパネル状態記憶部
１１３  制御部
１１４  キー
１１５  モーションセンサー
２０１  ＣＰＵ
２０２  ＲＯＭ
２０３  ＲＡＭ
２１１  入力・操作検出部
２１２  ネットワーク管理部
２１３  時間管理部
２１４  処理実行部
２１５  拡大ピクト制御部
２１６  画面回転制御部
２１７  ページ情報作成部
２１８  画面情報蓄積部
２１９  画面表示制御部
３０１  ピクト
３０１ａ  ヒット領域
３０２  通常表示領域
３１１  拡大ピクト
３１１ａ  １段目
３１１ａ  一段目
３１１ｂ  ２段目
３１１ｃ  ３段目
３１２  説明文表示領域
【図１】
2010103956.tif 000003
【図２】
2010103956.tif 000004
【図３】
2010103956.tif 000005
【図４】
2010103956.tif 000006
【図５】
2010103956.tif 000007
【図６】
2010103956.tif 000008
【図７】
2010103956.tif 000009
【図８】
2010103956.tif 000010
【図９】
2010103956.tif 000011
【図１０】
2010103956.tif 000012